【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）で、アップリンク通信のために使用されるように利用可能な共有の周波数スペクトルサブ帯域の複数のチャネルを識別するリソースグラントを受信することと、
近隣Ｗｉ−Ｆｉ基本サービスセット（ＢＳＳ）に関連付けられたプライマリチャネルを識別することと、
前記識別されたプライマリチャネルが、前記共有の周波数スペクトルサブ帯域の前記複数のチャネル内にあるかどうかを決定することと、
前記決定することに少なくとも部分的に基づいて、前記共有の周波数スペクトルサブ帯域の前記複数のチャネルのうちの１つのチャネルを選択することと、
前記選択されたチャネル上で信号検出クリアチャネル評価（ＣＣＡ）プロシージャを実行することと、
を備える、方法。
【請求項２】
１つのチャネルを選択することは、
前記プライマリチャネルが、前記サブ帯域の前記複数のチャネル内にあると決定することと、
前記信号検出ＣＣＡプロシージャを実行すべき前記選択されたチャネルとして前記プライマリチャネルを選択することと、
を備える、請求項１に記載の方法。
【請求項３】
１つのチャネルを選択することは、
前記プライマリチャネルが、前記共有の周波数スペクトルサブ帯域の前記複数のチャネル外にあると決定することと、
前記信号検出ＣＣＡプロシージャを実行すべき前記選択されたチャネルとして前記複数のチャネルのうちの１つのチャネルを選択することと、
を備える、請求項１に記載の方法。
【請求項４】
１つのチャネルを選択することは、
近隣ＵＥが信号検出ＣＣＡプロシージャを実行している前記複数のチャネルのうちの第１のチャネルを識別することと、
前記信号検出ＣＣＡプロシージャを実行すべき前記選択されたチャネルとして第２のチャネルを選択することと、前記第２のチャネルは、前記第１のチャネルとは異なる、
を備える、請求項１に記載の方法。
【請求項５】
前記複数のチャネルのうちの残りの部分のチャネル上で追加のＣＣＡプロシージャを実行することをさらに備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、請求項１に記載の方法。
【請求項６】
前記プライマリチャネルをモニタリングすることと、
所定のスケジュールにしたがって基地局にチャネル利用メッセージを送信することと、前記チャネル利用メッセージは、前記プライマリチャネル上のＷｉ−Ｆｉトラフィックの量に関連付けられた情報を備える、
をさらに備える、請求項１に記載の方法。
【請求項７】
前記所定のスケジュールは、周期的スケジュール、または非周期的スケジュール、またはそれらの組合せを備えるか、または、前記プライマリチャネルは、前記リソースグラントにおいて識別される前記複数のチャネルに含まれている、請求項６に記載の方法。
【請求項８】
ワイヤレス通信のための装置であって、
ユーザ機器（ＵＥ）で、アップリンク通信のために使用されるように利用可能な共有の周波数スペクトルサブ帯域の複数のチャネルを識別するリソースグラントを受信するための手段と、
近隣Ｗｉ−Ｆｉ基本サービスセット（ＢＳＳ）に関連付けられたプライマリチャネルを識別するための手段と、
前記識別されたプライマリチャネルが、前記共有の周波数スペクトルサブ帯域の前記複数のチャネル内にあるかどうかを決定するための手段と、
前記決定することに少なくとも部分的に基づいて、前記共有の周波数スペクトルサブ帯域の前記複数のチャネルのうちの１つのチャネルを選択するための手段と、
前記選択されたチャネル上で信号検出クリアチャネル評価（ＣＣＡ）プロシージャを実行するための手段と、
を備える、装置。
【請求項９】
１つのチャネルを選択するための前記手段は、
前記プライマリチャネルが、前記サブ帯域の前記複数のチャネル内にあると決定するための手段と、
前記信号検出ＣＣＡプロシージャを実行すべき前記選択されたチャネルとして前記プライマリチャネルを選択するための手段と、
を備える、請求項８に記載の装置。
【請求項１０】
１つのチャネルを選択するための前記手段は、
前記プライマリチャネルが、前記共有の周波数スペクトルサブ帯域の前記複数のチャネル外にあると決定するための手段と、
前記信号検出ＣＣＡプロシージャを実行すべき前記選択されたチャネルとして前記複数のチャネルのうちの１つのチャネルを選択するための手段と、
を備える、請求項８に記載の装置。
【請求項１１】
１つのチャネルを選択するための前記手段は、
近隣ＵＥが信号検出ＣＣＡプロシージャを実行している前記複数のチャネルのうちの第１のチャネルを識別するための手段と、
前記信号検出ＣＣＡプロシージャを実行すべき前記選択されたチャネルとして第２のチャネルを選択するための手段と、前記第２のチャネルは、前記第１のチャネルとは異なる、
を備える、請求項８に記載の装置。
【請求項１２】
１つのチャネルを選択するための前記手段は、
前記複数のチャネルのうちの残りの部分のチャネル上で追加のＣＣＡプロシージャを実行するための手段を備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、請求項８に記載の装置。
【請求項１３】
前記プライマリチャネルをモニタリングするための手段と、
所定のスケジュールにしたがって基地局にチャネル利用メッセージを送信するための手段と、前記チャネル利用メッセージは、前記プライマリチャネル上のＷｉ−Ｆｉトラフィックの量に関連付けられた情報を備える、
をさらに備える、請求項８に記載の装置。
【請求項１４】
前記所定のスケジュールは、周期的スケジュール、または非周期的スケジュール、またはそれらの組合せを備える、請求項１３に記載の装置。
【請求項１５】
ワイヤレス通信のためのコンピュータ実行可能コードを記憶する非一時的コンピュータ可読媒体であって、前記コードは、請求項１乃至７のうちのいずれか一項に記載のステップを行うようにプロセッサによって実行可能である、非一時的コンピュータ可読媒体。
【手続補正２】
【補正対象書類名】明細書
【補正対象項目名】００９８
【補正方法】変更
【補正の内容】
【００９８】
[0106]本開示の先の説明は、当業者が本開示を製造または使用することを可能にするために提供されている。本開示への様々な修正は、当業者には容易に明らかになり、本明細書で定義される一般的な原理は、本開示の範囲から逸脱することなく、他のバリエーションに適用されうる。したがって、本開示は、本明細書で説明される例および設計に限定されることになっておらず、本明細書で開示される原理および新規な特徴と一致する最も広い範囲を与えられることとなる。
以下に本願の出願当初の特許請求の範囲に記載された発明を付記する。
［Ｃ１］
ワイヤレス通信のための方法であって、
ユーザ機器（ＵＥ）で、アップリンク通信のために使用されるように利用可能な共有の周波数スペクトルサブ帯域の複数のチャネルを識別するリソースグラントを受信することと、
近隣Ｗｉ−Ｆｉ基本サービスセット（ＢＳＳ）に関連付けられたプライマリチャネルを識別することと、
前記識別されたプライマリチャネルが、前記共有の周波数スペクトルサブ帯域の前記複数のチャネル内にあるかどうかを決定することと、
前記決定することに少なくとも部分的に基づいて、前記共有の周波数スペクトルサブ帯域の前記複数のチャネルのうちの１つのチャネルを選択することと、
前記選択されたチャネル上で信号検出クリアチャネル評価（ＣＣＡ）プロシージャを実行することと、
を備える、方法。
［Ｃ２］
１つのチャネルを選択することは、
前記プライマリチャネルが、前記サブ帯域の前記複数のチャネル内にあると決定することと、
前記信号検出ＣＣＡプロシージャを実行すべき前記選択されたチャネルとして前記プライマリチャネルを選択することと、
を備える、Ｃ１に記載の方法。
［Ｃ３］
１つのチャネルを選択することは、
前記プライマリチャネルが、前記共有の周波数スペクトルサブ帯域の前記複数のチャネル外にあると決定することと、
前記信号検出ＣＣＡプロシージャを実行すべき前記選択されたチャネルとして前記複数のチャネルのうちの１つのチャネルを選択することと、
を備える、Ｃ１に記載の方法。
［Ｃ４］
１つのチャネルを選択することは、
近隣ＵＥが信号検出ＣＣＡプロシージャを実行している前記複数のチャネルのうちの第１のチャネルを識別することと、
前記信号検出ＣＣＡプロシージャを実行すべき前記選択されたチャネルとして第２のチャネルを選択することと、前記第２のチャネルは、前記第１のチャネルとは異なる、
を備える、Ｃ１に記載の方法。
［Ｃ５］
前記複数のチャネルのうちの残りの部分のチャネル上で追加のＣＣＡプロシージャを実行することをさらに備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、Ｃ１に記載の方法。
［Ｃ６］
前記プライマリチャネルをモニタリングすることと、
所定のスケジュールにしたがって基地局にチャネル利用メッセージを送信することと、前記チャネル利用メッセージは、前記プライマリチャネル上のＷｉ−Ｆｉトラフィックの量に関連付けられた情報を備える、
をさらに備える、Ｃ１に記載の方法。
［Ｃ７］
前記所定のスケジュールは、周期的スケジュール、または非周期的スケジュール、またはそれらの組合せを備える、Ｃ６に記載の方法。
［Ｃ８］
前記プライマリチャネルは、前記リソースグラントにおいて識別される前記複数のチャネルに含まれている、Ｃ６に記載の方法。
［Ｃ９］
ワイヤレス通信のための装置であって、
プロセッサと、
前記プロセッサと電子通信するメモリと、
前記メモリに記憶された命令とを備え、前記命令は、
ユーザ機器（ＵＥ）で、アップリンク通信のために使用されるように利用可能な共有の周波数スペクトルサブ帯域の複数のチャネルを識別するリソースグラントを受信することと、
近隣Ｗｉ−Ｆｉ基本サービスセット（ＢＳＳ）に関連付けられたプライマリチャネルを識別することと、
前記識別されたプライマリチャネルが、前記共有の周波数スペクトルサブ帯域の前記複数のチャネル内にあるかどうかを決定することと、
前記決定することに少なくとも部分的に基づいて、前記共有の周波数スペクトルサブ帯域の前記複数のチャネルのうちの１つのチャネルを選択することと、
前記選択されたチャネル上で信号検出クリアチャネル評価（ＣＣＡ）プロシージャを実行することと、
を行うように前記プロセッサによって実行可能である、装置。
［Ｃ１０］
１つのチャネルを選択するように実行可能な前記命令は、
前記プライマリチャネルが、前記サブ帯域の前記複数のチャネル内にあると決定することと、
前記信号検出ＣＣＡプロシージャを実行すべき前記選択されたチャネルとして前記プライマリチャネルを選択することと、
を行うようにさらに実行可能である、Ｃ９に記載の装置。
［Ｃ１１］
１つのチャネルを選択するように実行可能な前記命令は、
前記プライマリチャネルが、前記共有の周波数スペクトルサブ帯域の前記複数のチャネル外にあると決定することと、
前記信号検出ＣＣＡプロシージャを実行すべき前記選択されたチャネルとして前記複数のチャネルのうちの１つのチャネルを選択することと、
を行うようにさらに実行可能である、Ｃ９に記載の装置。
［Ｃ１２］
１つのチャネルを選択するように実行可能な前記命令は、
近隣ＵＥが信号検出ＣＣＡプロシージャを実行している前記複数のチャネルのうちの第１のチャネルを識別することと、
前記信号検出ＣＣＡプロシージャを実行すべき前記選択されたチャネルとして第２のチャネルを選択することと、前記第２のチャネルは、前記第１のチャネルとは異なる、
を行うようにさらに実行可能である、Ｃ９に記載の装置。
［Ｃ１３］
前記複数のチャネルのうちの残りの部分のチャネル上で追加のＣＣＡプロシージャを実行するように前記プロセッサによって実行可能な命令をさらに備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、Ｃ９に記載の装置。
［Ｃ１４］
前記プライマリチャネルをモニタリングすることと、
所定のスケジュールにしたがって基地局にチャネル利用メッセージを送信することと、前記チャネル利用メッセージは、前記プライマリチャネル上のＷｉ−Ｆｉトラフィックの量に関連付けられた情報を備える、
を行うように前記プロセッサによって実行可能な命令をさらに備える、Ｃ９に記載の装置。
［Ｃ１５］
前記所定のスケジュールは、周期的スケジュール、または非周期的スケジュール、またはそれらの組合せを備える、Ｃ１４に記載の装置。
［Ｃ１６］
前記プライマリチャネルは、前記リソースグラントにおいて識別される前記複数のチャネルに含まれている、Ｃ１４に記載の装置。
［Ｃ１７］
ワイヤレス通信のための装置であって、
ユーザ機器（ＵＥ）で、アップリンク通信のために使用されるように利用可能な共有の周波数スペクトルサブ帯域の複数のチャネルを識別するリソースグラントを受信するための手段と、
近隣Ｗｉ−Ｆｉ基本サービスセット（ＢＳＳ）に関連付けられたプライマリチャネルを識別するための手段と、
前記識別されたプライマリチャネルが、前記共有の周波数スペクトルサブ帯域の前記複数のチャネル内にあるかどうかを決定するための手段と、
前記決定することに少なくとも部分的に基づいて、前記共有の周波数スペクトルサブ帯域の前記複数のチャネルのうちの１つのチャネルを選択するための手段と、
前記選択されたチャネル上で信号検出クリアチャネル評価（ＣＣＡ）プロシージャを実行するための手段と、
を備える、装置。
［Ｃ１８］
１つのチャネルを選択するための前記手段は、
前記プライマリチャネルが、前記サブ帯域の前記複数のチャネル内にあると決定するための手段と、
前記信号検出ＣＣＡプロシージャを実行すべき前記選択されたチャネルとして前記プライマリチャネルを選択するための手段と、
を備える、Ｃ１７に記載の装置。
［Ｃ１９］
１つのチャネルを選択するための前記手段は、
前記プライマリチャネルが、前記共有の周波数スペクトルサブ帯域の前記複数のチャネル外にあると決定するための手段と、
前記信号検出ＣＣＡプロシージャを実行すべき前記選択されたチャネルとして前記複数のチャネルのうちの１つのチャネルを選択するための手段と、
を備える、Ｃ１７に記載の装置。
［Ｃ２０］
１つのチャネルを選択するための前記手段は、
近隣ＵＥが信号検出ＣＣＡプロシージャを実行している前記複数のチャネルのうちの第１のチャネルを識別するための手段と、
前記信号検出ＣＣＡプロシージャを実行すべき前記選択されたチャネルとして第２のチャネルを選択するための手段と、前記第２のチャネルは、前記第１のチャネルとは異なる、
を備える、Ｃ１７に記載の装置。
［Ｃ２１］
１つのチャネルを選択するための前記手段は、
前記複数のチャネルのうちの残りの部分のチャネル上で追加のＣＣＡプロシージャを実行するための手段を備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、Ｃ１７に記載の装置。
［Ｃ２２］
前記プライマリチャネルをモニタリングするための手段と、
所定のスケジュールにしたがって基地局にチャネル利用メッセージを送信するための手段と、前記チャネル利用メッセージは、前記プライマリチャネル上のＷｉ−Ｆｉトラフィックの量に関連付けられた情報を備える、
をさらに備える、Ｃ１７に記載の装置。
［Ｃ２３］
前記所定のスケジュールは、周期的スケジュール、または非周期的スケジュール、またはそれらの組合せを備える、Ｃ２２に記載の装置。
［Ｃ２４］
前記プライマリチャネルは、前記リソースグラントにおいて識別される前記複数のチャネルに含まれている、Ｃ２２に記載の装置。
［Ｃ２５］
ワイヤレス通信のためのコンピュータ実行可能コードを記憶する非一時的コンピュータ可読媒体であって、前記コードは、
ユーザ機器（ＵＥ）で、アップリンク通信のために使用されるように利用可能な共有の周波数スペクトルサブ帯域の複数のチャネルを識別するリソースグラントを受信することと、
近隣Ｗｉ−Ｆｉ基本サービスセット（ＢＳＳ）に関連付けられたプライマリチャネルを識別することと、
前記識別されたプライマリチャネルが、前記共有の周波数スペクトルサブ帯域の前記複数のチャネル内にあるかどうかを決定することと、
前記決定することに少なくとも部分的に基づいて、前記共有の周波数スペクトルサブ帯域の前記複数のチャネルのうちの１つのチャネルを選択することと、
前記選択されたチャネル上で信号検出クリアチャネル評価（ＣＣＡ）プロシージャを実行することと、
を行うようにプロセッサによって実行可能である、非一時的コンピュータ可読媒体。
［Ｃ２６］
１つのチャネルを選択するようにプロセッサによって実行可能な前記コードは、
前記プライマリチャネルが、前記サブ帯域の前記複数のチャネル内にあると決定することと、
前記信号検出ＣＣＡプロシージャを実行すべき前記選択されたチャネルとして前記プライマリチャネルを選択することと、
を行うようにさらに実行可能である、Ｃ２５に記載の非一時的コンピュータ可読媒体。
［Ｃ２７］
１つのチャネルを選択するようにプロセッサによって実行可能な前記コードは、
前記プライマリチャネルが、前記共有の周波数スペクトルサブ帯域の前記複数のチャネル外にあると決定することと、
前記信号検出ＣＣＡプロシージャを実行すべき前記選択されたチャネルとして前記複数のチャネルのうちの１つのチャネルを選択することと、
を行うようにさらに実行可能である、Ｃ２５に記載の非一時的コンピュータ可読媒体。
［Ｃ２８］
１つのチャネルを選択するようにプロセッサによって実行可能な前記コードは、
近隣ＵＥが信号検出ＣＣＡプロシージャを実行している前記複数のチャネルのうちの第１のチャネルを識別することと、
前記信号検出ＣＣＡプロシージャを実行すべき前記選択されたチャネルとして第２のチャネルを選択することと、前記第２のチャネルは、前記第１のチャネルとは異なる、
を行うようにさらに実行可能である、Ｃ２５に記載の非一時的コンピュータ可読媒体。
［Ｃ２９］
前記複数のチャネルのうちの残りの部分のチャネル上で追加のＣＣＡプロシージャを実行するように前記プロセッサによって実行可能なコードをさらに備え、前記追加のＣＣＡプロシージャは、ガードインターバル自己相関ＣＣＡプロシージャ、エネルギー検出ＣＣＡプロシージャ、またはそれらの組合せ、のうちの少なくとも１つを備える、Ｃ２５に記載の非一時的コンピュータ可読媒体。
［Ｃ３０］
前記プライマリチャネルをモニタリングすることと、
所定のスケジュールにしたがって基地局にチャネル利用メッセージを送信することと、前記チャネル利用メッセージは、前記プライマリチャネル上のＷｉ−Ｆｉトラフィックの量に関連付けられた情報を備える、
を行うように前記プロセッサによって実行可能なコードをさらに備える、Ｃ２５に記載の非一時的コンピュータ可読媒体。